(57)【要約】【課題】簡単な構造で誰でも容易に被服等を確実に掛け止めることができるファスナーの提供。【解決手段】本発明のファスナー１は、ソケット３と差し込み具５とからなる。ソケット３は、ベースプレート３と、このベースプレート３と一体的に形成された係止部９と取り付け部１１とを備えている。この係止部９は、ベースプレートの両端から対向して起立し、間隔が上端から下端に向かって漸減する側壁１３を備えている。この側壁１３からベースプレート中側に対向して延びる爪状庇部１５を備えている。上記差し込み具５は、上端から下端に向かって幅が漸減するプレート１７を備えている。このプレート１７の下端の幅Ｗ３は側壁１３の上端の間隔Ｗ１よりも小さく、上端の幅Ｗ４は側壁の下端間隔Ｗ２よりも大きい。このファスナーは手の指が不自由な人でも容易に着脱できる。【選択図】  図１
2004321550.tif 000002
【特許請求の範囲】
【請求項１】
ソケットと差し込み具とからなり、
上記ソケットは、ベースプレートとこのベースプレートと一体的に形成された係止部と取り付け部とを備えており、
上記係止部は、上記ベースプレート幅方向両端から対向して起立し、間隔が上端から下端に向かって漸減する一対の側壁と、この側壁からベースプレート中側に対向して延びる一対の爪状庇部とを備えており、
上記差し込み具は、取り付け部を備え、上端から下端に向かって幅が漸減しており、下端の幅が上記側壁の上端における間隔よりも小さく、上端の幅が上記側壁の下端における間隔よりも大きいプレートを備えている、
ファスナー。
【請求項２】
上記ソケットの取り付け部は、上記ベースプレートの幅方向中央部に縦方向に伸びる切り欠き若しくは、この縦方向に配列された２以上の貫通孔のいずれか又はこの両方を備える請求項１に記載のファスナー。
【請求項３】
上記ソケットの最大幅はソケットの縦方向長さより大きく、上記差し込み具の縦方向長さは上記ソケットの縦方向の長さよりも大きい請求項１又は２に記載のファスナー。
【発明の詳細な説明】
【０００１】
【発明の属する技術分野】
本発明は、掛け外しが容易にできるファスナーに関する。特に被服、袋、アウトドアグッズ等に使用されるファスナーに関する。
【０００２】
【従来の技術】
被服等に用いられる従来の一般的な止め方は、被服に糸で取り付けられたボタンをボタン穴に挿通することによっている。また、閉鎖して止める場合は、帯状のスライドファスナーが用いられている。
【０００３】
【発明が解決しようとする課題】
老齢者や手の不自由な人等にとっては、ボタン穴にボタンを挿通することや、スライドファスナーの溝にファスナーを噛み込ませること等は容易ではない。本発明は、このような事情に鑑みてなされたものであり、簡単な構造で誰でも容易に被服等を確実に掛け止めることができるファスナーの提供を目的とする。
【０００４】
【課題を解決するための手段】
本発明に係るファスナーは、ソケットと差し込み具とからなる。このソケットは、ベースプレートとこのベースプレートと一体的に形成された係止部と取り付け部とを備えている。この係止部は、上記ベースプレート幅方向両端から対向して起立し、間隔が上端から下端に向かって漸減する側壁を備えている。この側壁からベースプレート中側に対向して延びる爪状庇部とを備えている。上記差し込み具は、取り付け部を備え、上端から下端に向かって幅が漸減するプレートを備えている。このプレートは、下端の幅が上記ソケット側壁の上端における間隔よりも小さく、上端の幅が上記側壁の下端における間隔よりも大きくなっている。このファスナーは、誰でも容易に着脱できる。
【０００５】
上記ソケットの取り付け部は、切り欠き又は貫通孔を備えている。これらは、上記ベースプレートの幅方向中央部に縦方向に配されることが好ましい。このファスナーは、取り付けが容易で、スムースに着脱できる。
【０００６】
上記ソケットの最大幅は縦方向長さより大きく、上記差し込み具の縦方向長さは上記ソケットの縦方向の長さよりも大きいことがより好ましい。このファスナーは差し込みが容易であり、小型化することが容易である。
【０００７】
【発明の実施の形態】
以下、適宜図面が参照されつつ、好ましい実施形態に基づいて本発明が詳細に説明される。
【０００８】
図１及び図２には、本発明の一実施形態に係るファスナー１が示されている。図１（ａ）は、ファスナー１のソケット３の正面図で、図１（ｂ）はその底面図であり、図１（ｃ）はファスナー１の差し込み具５の正面図である。図２は、ソケット３に差し込み具５が差し込まれた様子が示されている。図２（ａ）は正面図で、図２（ｂ）は図２（ａ）の底面図である。ソケット３は、ベースプレート７とこのベースプレート７と一体的に形成された係止部９と取り付け部１１とを備えている。この材質は特に限定されないが、従来からファスナー用材料として既知のプラスチック又は金属が機能面及びコスト面から好ましい。
【０００９】
この係止部９は、ベースプレート７の両端から対向して起立する側壁１３を備えている。側壁１３は直立して形成されても、又湾曲して形成されてもよい。係止部９は、この側壁１３からベースプレート７中側に対向して延びる庇部１５を備えている。この庇部１５は、ベースプレート７と略平行にベースプレート７の中央部（中側）にせり出している。庇部１５は、先端が互いに向き合う爪状に形成されている。
【００１０】
上記取り付け部１１は、切り欠きからなっている。取り付け部１１は、ソケット３の縦方向（正面図の上下方向）に庇部１５を含まない領域に設けられることが好ましい。したがって、ベースプレート７の中央部に直列に設けられる。取り付けには、主として糸が用いられるため、庇部１５が糸による取り付けの障害にならないことが好ましい。また、ソケット３に差し込み具５を差し込むときに、縦方向に配された中央部の糸が障害にならない。この取り付け部１１によって、糸等による取り付けが容易になり、ソケット３に差し込み具５が容易に差し込める。
【００１１】
上記側壁１３間の幅は、上端における幅Ｗ１が最も大きく、下端の幅Ｗ２が最も狭くなっている。この幅は上端から下端に向かって漸減している。この幅は必ずしも、直線的に傾斜して形成されることは必要でない。しかし、製造上のコスト、取り扱いの容易性等の面から係止部の縦方向形状は、直線的である方が好ましい。
【００１２】
差し込み具５は、プレート１７からなり、取り付け部１９を備えている。差し込み具５は、ソケット３の係止部９に差し込まれる。差し込み具５は、ソケット３の位置と対向させて衣類その他に取り付けられる。差し込み具５の取り付け部間の距離は、ソケットの取り付け部間の距離と一致させることが好ましい。これにより、衣類等にソケット３と差し込み具５との取り付け位置がわかりやすくなる。
【００１３】
図２には、差し込み具５がソケット３に完全に差し込まれた状態が示されている。この差し込み具５のプレート１７の幅は、ソケット３の上記の漸減する側壁間隔に対応させて設定されている。プレート１７の下端の幅Ｗ３はソケットの側壁の上端の幅Ｗ１よりも小さくなっている。また、プレート１７の上端の幅Ｗ４はソケット３の下端の幅Ｗ２よりも大きい。これによって、差し込み具５の下端がソケット３の上端に入りやすく、少なくとも差し込み具５の上端がソケット３の下端で止まる。
【００１４】
差し込み具５がソケット３に完全に差し込まれた状態では、少なくともプレート１７の上端は、ベースプレート７の上端よりも少し上に、はみ出しＧ１があることが好ましい。また、プレート１７の下端は、ベースプレート７よりも少し下に位置し、はみ出しＧ２があることが好ましい。これによって、装着時はファスナーの填り具合を確認しやすい。また外すときは、差し込み具の上端を引き上げるか又は下端を押し上げて外しやすくすることができる。はみ出しの程度は、差し込み具の縦方向長さの５％以上３０％以下であることが好ましい。５％より小さいと抜き差しの容易性に役立ちにくい。また、３０％より大きいとスペースの無駄になりやすい。
【００１５】
上記の説明から明らかなように、ソケット３の機能は差し込み具５を受け止める係止部９が重要である。係止部９の上部又は下部のベースプレート７部分は大きな面積は必要でない。そのため、ソケット３の縦方向長さは、切りつめられ幅方向長さを縦方向よりも大きくすることが、ファスナーを小型化しやすい面からより好ましい。
【００１６】
図３及び図４は、このファスナー１がシャツ２１に適用された例が示されている。図３は、シャツ２１の前側の前身頃２３にソケット３が取り付けられ、後側の前身頃２５に差し込み具５とが取り付けられた様子を示す斜視図である。この図から明らかなように、ソケット３の係止部９の上端から差し込み具５の下端が差し込まれることは容易であり、差し込まれた差し込み具５がソケット３から抜かれることは容易である。前身頃２３及び２５を合わせて差し込み具５を上下するだけの操作でファスナーを装着できる。
【００１７】
図４は、図３のＩＶ−ＩＶ線に沿った断面図である。シャツ２１に取り付けられたファスナー１のソケット３に差し込み具５が差し込まれ掛け止められた状態を示している。前身頃２３及び２５に糸２７で、差し込み具５及びソケット３がそれぞれ取り付けられている。このファスナー１は、簡単な構造で、製造が容易である。また、差し込まれた差し込み具５は、ソケット３の係止部９に沿って引き抜けば容易に外すことができる。係止部９に沿わない通常の外力に対しては外れないため、係止機能が保たれる。このファスナー１は、複雑な動作を要せず、対向部に取り付けられた一対を互いに差し込まれるだけで掛け止められる。したがって、手の指が不自由な人でも容易に使用できる。
【００１８】
図５は、本発明の他の実施形態に係るファスナー２９が示された正面図（ａ）及び底面図（ｂ）である。このファスナー２９はソケット３１と差し込み具３３とからなる。ソケット３１は、ベースプレート３５と係止部３７とを備えている。またベースプレート３５は、取り付け部３９を備えており、これが貫通孔４１及び４３からなっている。貫通孔４１と貫通孔４３とは、ソケット３１のベースプレート３５の中央部に配置されている。差し込み具３３の取り付け部４７にも同様に、貫通孔４９と貫通孔５１とが備えられている。ソケット３１及び差し込み具３３は、これらの貫通孔に糸を通して衣類等縫い付けられる。このファスナー２９も着脱が容易である。
【発明の効果】
以上説明した、本発明のファスナーは、従来のボタン等に比べて、手や、指の不自由な人でも容易に着脱することができる。また、構造も簡単であり、製造しやすい。
【図面の簡単な説明】
【図１】図１は、本発明の一実施形態に係るファスナーが示された正面図及び底面図である。
【図２】図２は、図１のファスナーを装着した様子を示す正面図及び底面図である。
【図３】図３は、図１のファスナーがシャツに適用された状態を示す斜視図である。
【図４】図４は、図３の部分拡大断面図である。
【図５】図５は、本発明の他の実施形態にかかるファスナーが示された正面図及び底面図である。
【符号の説明】
１、２９・・・ファスナー
３、３１・・・ソケット
５、３３・・・差し込み具
７、３５・・・ベースプレート
９、３７・・・係止部
１１、１９、３９、４７・・・取り付け部
１３・・・側壁
１５、４５・・・庇部
１７・・・プレート
２７・・・糸
４１、４３、４９、５１・・・貫通孔
【図１】
2004321550.tif 000003
【図２】
2004321550.tif 000004
【図３】
2004321550.tif 000005
【図４】
2004321550.tif 000006
【図５】
2004321550.tif 000007